(57)【要約】【課題】カメラの電池寿命の推測に役立つ情報を簡易で分かりやすく表示する。【解決手段】電源電池６８が交換されたと判断された場合、撮影枚数カウントメモリ５１、撮影枚数登録メモリ５２に記憶された情報をリセットする（Ｓ３）。交換されていないと判断された場合、メインＣＰＵ２０は、撮影枚数カウントメモリ５１に記憶された撮影枚数を取り込み（Ｓ８）、取り込んだ撮影枚数が予想枚数に達するまでの状態を示す内容を画像表示ＬＣＤ１０２に表示する（Ｓ９）。【選択図】  図３
2007019869.tif 000002
【特許請求の範囲】
【請求項１】
交換可能な電源電池と、
バックアップ電池と、
少なくとも前記電源電池又は前記バックアップ電池から継続的に電源供給を受け、前記電源電池の交換を検出し、前記電源電池の交換が検出されたことを示す情報を保持する電池交換検出回路と、
不揮発性記憶装置と、
映像を表示する表示部と、
被写体を撮像した静止画像を得る撮像部と、
前記撮像部の得た被写体の静止画像の数を計数し、前記静止画像の数を撮影枚数として前記不揮発性記憶装置に記憶し、前記不揮発性記憶装置に記憶された撮影枚数を表示するよう前記表示部を制御する演算装置と、
を備え、
前記演算装置は前記電池交換検出回路が前記電源電池の交換が検出されたことを示す情報を保持していることに応じて前記不揮発性記憶装置の記憶している撮影枚数をリセットする撮像装置。
【請求項２】
入力操作を受け付ける操作部をさらに備え、
前記演算装置は前記電源電池の種類に対応した所望の撮影可能枚数である予想枚数の入力を前記操作部から受け付け、前記操作部から入力された前記電源電池の種類に対応した予想枚数を前記不揮発性記憶装置に記憶し、前記撮影枚数が前記予想枚数に達するまでの状態を表示するよう前記表示部を制御する請求項１に記載の撮像装置。
【請求項３】
前記演算装置は前記撮影枚数が前記予想枚数に達したことに応じて前記表示部に通知を表示させるよう前記表示部を制御する請求項２に記載の撮像装置。
【請求項４】
前記演算装置は前記電源電池による電源供給がオンにされたことに応じて前記撮影枚数の計数を開始し、かつ前記電源電池による電源供給がオフにされたことに応じて前記計数した撮影枚数と前記不揮発性記憶装置に記憶されている撮影枚数とを合算した値を撮影枚数として前記不揮発性記憶装置に記憶する請求項１〜３のいずれかに記載の撮像装置。
【請求項５】
交換可能な電源電池と、
バックアップ電池と、
少なくとも前記電源電池又は前記バックアップ電池から継続的に電源供給を受け、現在日時を出力する計時専用回路と、
少なくとも前記電源電池又は前記バックアップ電池から継続的に電源供給を受け、前記電源電池の交換を検出し、前記電源電池の交換が検出されたことを示す情報を保持する電池交換検出回路と、
不揮発性記憶装置と、
映像を表示する表示部と、
被写体を撮像した画像を得る撮像部と、
前記電源電池による電源供給がオフにされたときに前記計時専用回路の出力した現在日時を電源オフ日時として前記不揮発性記憶装置に記憶し、前記電源電池による電源供給がオンにされたことに応じて前記不揮発性記憶装置に記憶された前記電源オフ日時を表示するよう前記表示部を制御する演算装置と、
を備え、
前記演算装置は前記電池交換検出回路が前記電源電池の交換が検出されたことを示す情報を保持していることに応じて前記不揮発性記憶装置の記憶している電源オフ日時をリセットする撮像装置。
【請求項６】
前記演算装置は前記電源電池による電源供給がオンにされたことに応じて前記電源オフ日時から前記電源供給がオンにされた日時までの経過時間を算出し、前記経過時間を表示するよう前記表示部を制御する請求項５に記載の撮像装置。
【請求項７】
前記電池交換検出回路は前記電源電池の交換が検出された時点で前記計時専用回路から出力された現在日時を電池交換日時として保持し、
前記演算装置は前記電源電池による電源供給がオンにされたことに応じて前記電池交換日時から前記電源供給がオンにされた日時までの経過時間を算出し、前記経過時間を表示するよう前記表示部を制御する請求項５に記載の撮像装置。
【請求項８】
前記電池交換検出回路は前記電源電池の交換が検出された時点で前記計時専用回路から出力された現在日時を電池交換日時として保持し、
前記演算装置は前記電源電池による電源供給がオンにされたことに応じて前記電池交換日時以後前記電源供給がオンにされていた時間の総計である使用時間を算出し、前記使用時間を表示するよう前記表示部を制御する請求項５に記載の撮像装置。
【請求項９】
交換可能な電源電池と、
バックアップ電池と、
少なくとも前記電源電池又は前記バックアップ電池から継続的に電源供給を受け、前記電源電池の交換を検出して前記検出した状態を保持する電池交換検出回路と、
不揮発性記憶装置と、
映像を表示する表示部と、
被写体を撮像した動画像を得る撮像部と、
前記撮像部の得た被写体の動画像の記録時間を計数し、前記動画像の記録時間を前記不揮発性記憶装置に記憶し、前記不揮発性記憶装置に記憶された動画像の記録時間を表示するよう前記表示部を制御する演算装置と、
を備え、
前記演算装置は前記電池交換検出回路が前記電源電池の交換が検出されたことを示す情報を保持していることに応じて前記不揮発性記憶装置の記憶している動画像の記録時間をリセットする撮像装置。
【請求項１０】
前記演算装置は前記電源電池による電源供給がオンにされたことに応じて前記動画像の記録時間の計数を開始し、かつ前記電源電池による電源供給がオフにされたことに応じて前記計数した動画像の記録時間と前記不揮発性記憶装置に記憶されている動画像の記録時間とを合算した値を動画像の記録時間として前記不揮発性記憶装置に記憶する請求項９に記載の撮像装置。
【請求項１１】
交換可能な電源電池と、
バックアップ電池と、
少なくとも前記電源電池又は前記バックアップ電池から継続的に電源供給を受け、前記電源電池の交換を検出して前記検出した状態を保持する電池交換検出回路と、
不揮発性記憶装置と、
映像を表示する表示部と、
被写体を撮像した画像を得る撮像部と、
前記撮像部の撮像する被写体に閃光を発光する閃光発光装置と、
前記閃光発光装置の発光回数を計数し、前記発光回数を前記不揮発性記憶装置に記憶し、前記不揮発性記憶装置に記憶された発光回数を表示するよう前記表示部を制御する演算装置と、
を備え、
前記演算装置は前記電池交換検出回路が前記電源電池の交換が検出されたことを示す情報を保持していることに応じて前記不揮発性記憶装置の記憶している発光回数をリセットする撮像装置。
【請求項１２】
前記演算装置は前記電源電池による電源供給がオンにされたことに応じて前記発光回数の計数を開始し、かつ前記電源電池による電源供給がオフにされたことに応じて前記計数した発光回数と前記不揮発性記憶装置に記憶されている発光回数とを合算した値を発光回数として前記不揮発性記憶装置に記憶する請求項１１に記載の撮像装置。
【請求項１３】
交換可能な電源電池と、
バックアップ電池と、
少なくとも前記電源電池又は前記バックアップ電池から継続的に電源供給を受け、前記電源電池の交換を検出して前記検出した状態を保持する電池交換検出回路と、
不揮発性記憶装置と、
被写体を撮像した画像を得る撮像部と、
前記画像を再生表示する表示部と、
前記表示部の画像再生表示時間を計数し、前記画像再生表示時間を前記不揮発性記憶装置に記憶し、前記不揮発性記憶装置に記憶された画像再生表示時間を表示するよう前記表示部を制御する演算装置と、
を備え、
前記演算装置は前記電池交換検出回路が前記電源電池の交換が検出されたことを示す情報を保持していることに応じて前記不揮発性記憶装置の記憶している画像再生表示時間をリセットする撮像装置。
【請求項１４】
前記演算装置は前記電源電池による電源供給がオンにされたことに応じて前記画像再生表示時間の計数を開始し、かつ前記電源電池による電源供給がオフにされたことに応じて前記計数した画像再生表示時間と前記不揮発性記憶装置に記憶されている画像再生表示時間とを合算した値を画像再生表示時間として前記不揮発性記憶装置に記憶する請求項１３に記載の撮像装置。
【請求項１５】
前記電池交換検出回路は、
前記電源電池を装着する電池収納室の開口部に設けられた電池蓋の開閉に連動するスイッチと、
前記電池蓋の開閉に連動して前記スイッチがオンにされたことに応じ、前記電源電池の交換が検出されたことを示す情報を保持するラッチアップ回路と、
を備える請求項１〜１４のいずれかに記載の撮像装置。
【請求項１６】
少なくともカメラに備えられた電源電池又はバックアップ電池から継続的に電源供給を受ける電池交換検出回路であって、
前記電源電池を装着する電池収納室の開口部に設けられた電池蓋の開閉に連動するスイッチと、
前記電池蓋の開閉に連動して前記スイッチがオンにされたことに応じ、前記電源電池の交換が検出されたことを示す情報を保持するラッチアップ回路と、
を備える電池交換検出回路。
【請求項１７】
前記ラッチアップ回路は前記電池蓋の開閉に連動して前記スイッチがオンにされたことに応じ、計時専用回路から得られた現在日時を前記電源電池の交換日時として保持する請求項１６に記載の電池交換検出回路。
【請求項１８】
交換可能な電源電池、バックアップ電池、少なくとも前記電源電池又は前記バックアップ電池から継続的に電源供給を受け、前記電源電池の交換を検出し、前記電源電池の交換が検出されたことを示す情報を保持する電池交換検出回路、不揮発性記憶装置、映像を表示する表示部、被写体を撮像した静止画像を得る撮像部を備える撮像装置において実行される撮影枚数表示方法であって、
前記撮像部の得た被写体の静止画像の数を計数するステップと、
前記静止画像の数を撮影枚数として前記不揮発性記憶装置に記憶するステップと、
前記不揮発性記憶装置に記憶された撮影枚数を表示するよう前記表示部を制御するステップと、
前記電池交換検出回路が前記電源電池の交換が検出されたことを示す情報を保持していることに応じて前記不揮発性記憶装置の記憶している撮影枚数をリセットするステップと、
を含む撮影枚数表示方法。
【請求項１９】
交換可能な電源電池、バックアップ電池、少なくとも前記電源電池又は前記バックアップ電池から継続的に電源供給を受け、現在日時を出力する計時専用回路、少なくとも前記電源電池又は前記バックアップ電池から継続的に電源供給を受け、前記電源電池の交換を検出し、前記電源電池の交換が検出されたことを示す情報を保持する電池交換検出回路、不揮発性記憶装置、映像を表示する表示部、被写体を撮像した画像を得る撮像部を備える撮像装置において実行される電源オフ日時表示方法であって、
前記電源電池による電源供給がオフにされたときに前記計時専用回路の出力した現在日時を電源オフ日時として前記不揮発性記憶装置に記憶するステップと、
前記電源電池による電源供給がオンにされたことに応じて前記不揮発性記憶装置に記憶された前記電源オフ日時を表示するよう前記表示部を制御するステップと、
前記電池交換検出回路が前記電源電池の交換が検出されたことを示す情報を保持していることに応じて前記不揮発性記憶装置の記憶している電源オフ日時をリセットするステップと、
を含む電源オフ日時表示方法。
【請求項２０】
交換可能な電源電池、バックアップ電池、少なくとも前記電源電池又は前記バックアップ電池から継続的に電源供給を受け、前記電源電池の交換を検出して前記検出した状態を保持する電池交換検出回路、不揮発性記憶装置、映像を表示する表示部、被写体を撮像した動画像を得る撮像部を備える撮像装置において実行される動画像記録時間表示方法であって、
前記撮像部の得た被写体の動画像の記録時間を計数するステップと、
前記動画像の記録時間を前記不揮発性記憶装置に記憶するステップと、
前記不揮発性記憶装置に記憶された動画像の記録時間を表示するよう前記表示部を制御するステップと、
前記電池交換検出回路が前記電源電池の交換が検出されたことを示す情報を保持していることに応じて前記不揮発性記憶装置の記憶している動画像の記録時間をリセットするステップと、
を含む動画像記録時間表示方法。
【請求項２１】
交換可能な電源電池、バックアップ電池、少なくとも前記電源電池又は前記バックアップ電池から継続的に電源供給を受け、前記電源電池の交換を検出して前記検出した状態を保持する電池交換検出回路、不揮発性記憶装置、映像を表示する表示部、被写体を撮像した画像を得る撮像部、前記撮像部の撮像する被写体に閃光を発光する閃光発光装置を備える撮像装置において実行される発光回数表示方法であって、
前記閃光発光装置の発光回数を計数するステップと、
前記発光回数を前記不揮発性記憶装置に記憶するステップと、
前記不揮発性記憶装置に記憶された発光回数を表示するよう前記表示部を制御するステップと、
前記電池交換検出回路が前記電源電池の交換が検出されたことを示す情報を保持していることに応じて前記不揮発性記憶装置の記憶している発光回数をリセットするステップと、
を含む発光回数表示方法。
【請求項２２】
交換可能な電源電池、バックアップ電池、少なくとも前記電源電池又は前記バックアップ電池から継続的に電源供給を受け、前記電源電池の交換を検出して前記検出した状態を保持する電池交換検出回路、不揮発性記憶装置、被写体を撮像した画像を得る撮像部、前記画像を再生表示する表示部を備える撮像装置において実行される画像再生表示時間表示方法であって、
前記表示部の画像再生表示時間を計数するステップと、
前記画像再生表示時間を前記不揮発性記憶装置に記憶するステップと、
前記不揮発性記憶装置に記憶された画像再生表示時間を表示するよう前記表示部を制御するステップと、
前記電池交換検出回路が前記電源電池の交換が検出されたことを示す情報を保持していることに応じて前記不揮発性記憶装置の記憶している画像再生表示時間をリセットするステップと、
を含む画像再生表示時間表示方法。
【請求項２３】
交換可能な電源電池、バックアップ電池、少なくとも前記電源電池又は前記バックアップ電池から継続的に電源供給を受け、前記電源電池の交換を検出し、前記電源電池の交換が検出されたことを示す情報を保持する電池交換検出回路、不揮発性記憶装置、映像を表示する表示部、被写体を撮像した静止画像を得る撮像部、演算装置を備える撮像装置において実行される撮影枚数表示プログラムであって、
前記撮像部の得た被写体の静止画像の数を計数するステップと、
前記静止画像の数を撮影枚数として前記不揮発性記憶装置に記憶するステップと、
前記不揮発性記憶装置に記憶された撮影枚数を表示するよう前記表示部を制御するステップと、
前記電池交換検出回路が前記電源電池の交換が検出されたことを示す情報を保持していることに応じて前記不揮発性記憶装置の記憶している撮影枚数をリセットするステップと、
を前記演算装置に実行させる撮影枚数表示プログラム。
【請求項２４】
交換可能な電源電池、バックアップ電池、少なくとも前記電源電池又は前記バックアップ電池から継続的に電源供給を受け、現在日時を出力する計時専用回路、少なくとも前記電源電池又は前記バックアップ電池から継続的に電源供給を受け、前記電源電池の交換を検出し、前記電源電池の交換が検出されたことを示す情報を保持する電池交換検出回路、不揮発性記憶装置、映像を表示する表示部、被写体を撮像した画像を得る撮像部、演算装置を備える撮像装置において実行される電源オフ日時表示プログラムであって、
前記電源電池による電源供給がオフにされたときに前記計時専用回路の出力した現在日時を電源オフ日時として前記不揮発性記憶装置に記憶するステップと、
前記電源電池による電源供給がオンにされたことに応じて前記不揮発性記憶装置に記憶された前記電源オフ日時を表示するよう前記表示部を制御するステップと、
前記電池交換検出回路が前記電源電池の交換が検出されたことを示す情報を保持していることに応じて前記不揮発性記憶装置の記憶している電源オフ日時をリセットするステップと、
を前記演算装置に実行させる電源オフ日時表示プログラム。
【請求項２５】
交換可能な電源電池、バックアップ電池、少なくとも前記電源電池又は前記バックアップ電池から継続的に電源供給を受け、前記電源電池の交換を検出して前記検出した状態を保持する電池交換検出回路、不揮発性記憶装置、映像を表示する表示部、被写体を撮像した動画像を得る撮像部、演算装置を備える撮像装置において実行される動画像記録時間表示プログラムであって、
前記撮像部の得た被写体の動画像の記録時間を計数するステップと、
前記動画像の記録時間を前記不揮発性記憶装置に記憶するステップと、
前記不揮発性記憶装置に記憶された動画像の記録時間を表示するよう前記表示部を制御するステップと、
前記電池交換検出回路が前記電源電池の交換が検出されたことを示す情報を保持していることに応じて前記不揮発性記憶装置の記憶している動画像の記録時間をリセットするステップと、
を前記演算装置に実行させる動画像記録時間表示プログラム。
【請求項２６】
交換可能な電源電池、バックアップ電池、少なくとも前記電源電池又は前記バックアップ電池から継続的に電源供給を受け、前記電源電池の交換を検出して前記検出した状態を保持する電池交換検出回路、不揮発性記憶装置、映像を表示する表示部、被写体を撮像した画像を得る撮像部、前記撮像部の撮像する被写体に閃光を発光する閃光発光装置、演算装置を備える撮像装置において実行される発光回数表示プログラムであって、
前記閃光発光装置の発光回数を計数するステップと、
前記発光回数を前記不揮発性記憶装置に記憶するステップと、
前記不揮発性記憶装置に記憶された発光回数を表示するよう前記表示部を制御するステップと、
前記電池交換検出回路が前記電源電池の交換が検出されたことを示す情報を保持していることに応じて前記不揮発性記憶装置の記憶している発光回数をリセットするステップと、
を前記演算装置に実行させる発光回数表示プログラム。
【請求項２７】
交換可能な電源電池、バックアップ電池、少なくとも前記電源電池又は前記バックアップ電池から継続的に電源供給を受け、前記電源電池の交換を検出して前記検出した状態を保持する電池交換検出回路、不揮発性記憶装置、被写体を撮像した画像を得る撮像部、前記画像を再生表示する表示部、演算装置を備える撮像装置において実行される画像再生表示時間表示プログラムであって、
前記表示部の画像再生表示時間を計数するステップと、
前記画像再生表示時間を前記不揮発性記憶装置に記憶するステップと、
前記不揮発性記憶装置に記憶された画像再生表示時間を表示するよう前記表示部を制御するステップと、
前記電池交換検出回路が前記電源電池の交換が検出されたことを示す情報を保持していることに応じて前記不揮発性記憶装置の記憶している画像再生表示時間をリセットするステップと、
を前記演算装置に実行させる画像再生表示時間表示プログラム。
【発明の詳細な説明】
【技術分野】
【０００１】
本発明は撮像装置における電源電池の寿命に関係する情報を表示する技術に関する。
【背景技術】
【０００２】
従来、カメラで使用される電池の残容量をユーザに知らせるための技術が開発されている。例えば特許文献１のデジタルカメラでは、２次電池の電池残量を求める場合、カメラ動作時の各単位シーケンス処理、例えば、ＡＦ，ＡＥ処理時動作やストロボ充電動作や撮影動作時等での消費電力（推定値）Ａhxを各シーケンス処理時の代表的消費電流Ｉx に動作時間ｔn を乗じて演算により推定し、フル充電時の電池容量Ａh0から上記消費電力（推定値）Ａhxを順次差し引き、電池残量を求める。その電池残量は、ＬＣＤ表示部に表示される。
【特許文献１】特開２００３−１８６０９８号公報
【発明の開示】
【発明が解決しようとする課題】
【０００３】
特許文献１によると、電池残量を様々なパラメータを用いて算出するため、その処理が煩雑となり、カメラそのものの高コスト化につながる。また、市場ニーズからすれば、カメラ販売価格をアップさせてでもこのような複雑な機能を搭載する必要性が高いとは限らない。本発明はこのような問題点に鑑みてなされたもので、カメラの電池寿命の推測に役立つ情報を簡易で分かりやすく表示することを目的とする。
【課題を解決するための手段】
【０００４】
上述の課題を解決するため、本発明に係る撮像装置は、交換可能な電源電池と、バックアップ電池と、少なくとも電源電池又はバックアップ電池から継続的に電源供給を受け、電源電池の交換を検出し、電源電池の交換が検出されたことを示す情報を保持する電池交換検出回路と、不揮発性記憶装置と、映像を表示する表示部と、被写体を撮像した静止画像を得る撮像部と、撮像部の得た被写体の静止画像の数を計数し、静止画像の数を撮影枚数として不揮発性記憶装置に記憶し、不揮発性記憶装置に記憶された撮影枚数を表示するよう表示部を制御する演算装置と、を備え、演算装置は電池交換検出回路が電源電池の交換が検出されたことを示す情報を保持していることに応じて不揮発性記憶装置の記憶している撮影枚数をリセットする。
【０００５】
この撮像装置によると、演算装置が静止画像の撮影枚数を計数して表示するのであるが、電池交換検出回路が電源電池の交換を検出していると、該撮影枚数をリセットする。即ち、電池交換後の撮影枚数を表示する。ユーザは、電池交換後の撮影枚数を確認し、電源電池の寿命を大まかに推測することができる。このため、従来のように複雑な機能を用いて電池残量を算出する必要もない。
【０００６】
本発明に係る撮像装置は、入力操作を受け付ける操作部をさらに備え、演算装置は電源電池の種類に対応した所望の撮影可能枚数である予想枚数の入力を操作部から受け付け、操作部から入力された電源電池の種類に対応した予想枚数を不揮発性記憶装置に記憶し、撮影枚数が予想枚数に達するまでの状態を表示するよう表示部を制御する。
【０００７】
ユーザが電源電池の種類に対応した電池寿命に相当する予想枚数を入力しておけば、撮影枚数が予想枚数に達するまでの状態が表示される。ここで、電源電池の種類に対応した予想枚数は、電源電池の種類ごとに複数入力することもできる。ユーザは、撮影枚数が予想枚数に達したか否かによって、電池寿命を電源電池の種類ごとに大まかに推測できる。
【０００８】
演算装置は撮影枚数が予想枚数に達したことに応じて表示部に通知を表示させるよう表示部を制御するようにしてもよい。
【０００９】
こうすると、電池寿命が到来ないし近づいたことが容易に分かる。
【００１０】
演算装置は電源電池による電源供給がオンにされたことに応じて撮影枚数の計数を開始し、かつ電源電池による電源供給がオフにされたことに応じて計数した撮影枚数と不揮発性記憶装置に記憶されている撮影枚数とを合算した値を撮影枚数として不揮発性記憶装置に記憶する。
【００１１】
こうすると、演算装置に対する電源供給のオンオフに関係なく、電源電池交換後の撮影枚数の総数を計数できる。
【００１２】
また、本発明に係る撮像装置は、交換可能な電源電池と、バックアップ電池と、少なくとも電源電池又はバックアップ電池から継続的に電源供給を受け、現在日時を出力する計時専用回路と、少なくとも電源電池又はバックアップ電池から継続的に電源供給を受け、電源電池の交換を検出し、電源電池の交換が検出されたことを示す情報を保持する電池交換検出回路と、不揮発性記憶装置と、映像を表示する表示部と、被写体を撮像した画像を得る撮像部と、電源電池による電源供給がオフにされたときに計時専用回路の出力した現在日時を電源オフ日時として不揮発性記憶装置に記憶し、電源電池による電源供給がオンにされたことに応じて不揮発性記憶装置に記憶された電源オフ日時を表示するよう表示部を制御する演算装置と、を備え、演算装置は電池交換検出回路が電源電池の交換が検出されたことを示す情報を保持していることに応じて不揮発性記憶装置の記憶している電源オフ日時をリセットする。
【００１３】
この撮像装置によると、電源オフ時間が表示部に表示されるのであるが、電池交換検出回路が電源電池の交換を検出していると、該電源オフ時間をリセットする。即ち、電池交換後の電源オフ時間を表示する。ユーザは、電池交換後の電源オフ時間を確認し、電源電池の寿命を大まかに推測することができる。このため、従来のように複雑な機能を用いて電池残量を算出する必要もない。
【００１４】
さらに、不揮発性記憶装置に記憶された電源オフ時間が複数存在する場合、その全部又は一部を表示してもよいし、直近の電源オフ時間である前回電源オフ時間のみを表示してもよい。特に、前回電源オフ時間を表示すれば、最後に撮像装置を使った時間が分かる。
【００１５】
演算装置は電源電池による電源供給がオンにされたことに応じて電源オフ日時から電源供給がオンにされた日時までの経過時間を算出し、経過時間を表示するよう表示部を制御してもよい。
【００１６】
こうすると、電源オフから使用しないまま経過した時間を確認でき、自然放電による電池寿命を大まかに把握できる。
【００１７】
電池交換検出回路は電源電池の交換が検出された時点で計時専用回路から出力された現在日時を電池交換日時として保持し、演算装置は電源電池による電源供給がオンにされたことに応じて電池交換日時から電源供給がオンにされた日時までの経過時間を算出し、経過時間を表示するよう表示部を制御するようにしてもよい。
【００１８】
こうすると、電池交換から現在までの経過時間を確認でき、電池寿命を大まかに把握できる。
【００１９】
電池交換検出回路は電源電池の交換が検出された時点で計時専用回路から出力された現在日時を電池交換日時として保持し、演算装置は電源電池による電源供給がオンにされたことに応じて電池交換日時以後電源供給がオンにされていた時間の総計である使用時間を算出し、使用時間を表示するよう表示部を制御するようにしてもよい。
【００２０】
こうすると、電池交換から現在に至るまで電源をオンにしていた総時間を確認でき、電池寿命を大まかに把握できる。
【００２１】
また、本発明に係る撮像装置は、交換可能な電源電池と、バックアップ電池と、少なくとも電源電池又はバックアップ電池から継続的に電源供給を受け、電源電池の交換を検出して検出した状態を保持する電池交換検出回路と、不揮発性記憶装置と、映像を表示する表示部と、被写体を撮像した動画像を得る撮像部と、撮像部の得た被写体の動画像の記録時間を計数し、動画像の記録時間を不揮発性記憶装置に記憶し、不揮発性記憶装置に記憶された動画像の記録時間を表示するよう表示部を制御する演算装置と、を備え、演算装置は電池交換検出回路が電源電池の交換が検出されたことを示す情報を保持していることに応じて不揮発性記憶装置の記憶している動画像の記録時間をリセットする。
【００２２】
この撮像装置によると、動画像の記録時間が表示部に表示されるのであるが、電池交換検出回路が電源電池の交換を検出していると、該動画像の記録時間をリセットする。即ち、電池交換後の動画像の記録時間を表示する。ユーザは、電池交換後の動画像の記録時間を確認し、電源電池の寿命を大まかに推測することができる。このため、従来のように複雑な機能を用いて電池残量を算出する必要もない。
【００２３】
演算装置は電源電池による電源供給がオンにされたことに応じて動画像の記録時間の計数を開始し、かつ電源電池による電源供給がオフにされたことに応じて計数した動画像の記録時間と不揮発性記憶装置に記憶されている動画像の記録時間とを合算した値を動画像の記録時間として不揮発性記憶装置に記憶してもよい。
【００２４】
こうすると、演算装置に対する電源供給のオンオフに関係なく、電源電池交換後の動画像の記録時間の総数を計数できる。
【００２５】
また、本発明に係る撮像装置は、交換可能な電源電池と、バックアップ電池と、少なくとも電源電池又はバックアップ電池から継続的に電源供給を受け、電源電池の交換を検出して検出した状態を保持する電池交換検出回路と、不揮発性記憶装置と、映像を表示する表示部と、被写体を撮像した画像を得る撮像部と、撮像部の撮像する被写体に閃光を発光する閃光発光装置と、閃光発光装置の発光回数を計数し、発光回数を不揮発性記憶装置に記憶し、不揮発性記憶装置に記憶された発光回数を表示するよう表示部を制御する演算装置と、を備え、演算装置は電池交換検出回路が電源電池の交換が検出されたことを示す情報を保持していることに応じて不揮発性記憶装置の記憶している発光回数をリセットする。
【００２６】
この撮像装置によると、閃光発光装置の発光回数が表示部に表示されるのであるが、電池交換検出回路が電源電池の交換を検出していると、該発光回数をリセットする。即ち、電池交換後の発光回数を表示する。ユーザは、電池交換後の発光回数を確認し、電源電池の寿命を大まかに推測することができる。このため、従来のように複雑な機能を用いて電池残量を算出する必要もない。
【００２７】
演算装置は電源電池による電源供給がオンにされたことに応じて発光回数の計数を開始し、かつ電源電池による電源供給がオフにされたことに応じて計数した発光回数と不揮発性記憶装置に記憶されている発光回数とを合算した値を発光回数として不揮発性記憶装置に記憶してもよい。
【００２８】
こうすると、演算装置に対する電源供給のオンオフに関係なく、電源電池交換後の発光回数の総数を計数できる。
【００２９】
本発明に係る撮像装置は、交換可能な電源電池と、バックアップ電池と、少なくとも電源電池又はバックアップ電池から継続的に電源供給を受け、電源電池の交換を検出して検出した状態を保持する電池交換検出回路と、不揮発性記憶装置と、被写体を撮像した画像を得る撮像部と、画像を再生表示する表示部と、表示部の画像再生表示時間を計数し、画像再生表示時間を不揮発性記憶装置に記憶し、不揮発性記憶装置に記憶された画像再生表示時間を表示するよう表示部を制御する演算装置と、を備え、演算装置は電池交換検出回路が電源電池の交換が検出されたことを示す情報を保持していることに応じて不揮発性記憶装置の記憶している画像再生表示時間をリセットする。
【００３０】
この撮像装置によると、画像再生表示時間が表示部に表示されるのであるが、電池交換検出回路が電源電池の交換を検出していると、該画像再生表示時間をリセットする。即ち、電池交換後の画像再生表示時間を表示する。ユーザは、電池交換後の画像再生表示時間を確認し、電源電池の寿命を大まかに推測することができる。このため、従来のように複雑な機能を用いて電池残量を算出する必要もない。
【００３１】
演算装置は電源電池による電源供給がオンにされたことに応じて画像再生表示時間の計数を開始し、かつ電源電池による電源供給がオフにされたことに応じて計数した画像再生表示時間と不揮発性記憶装置に記憶されている画像再生表示時間とを合算した値を画像再生表示時間として不揮発性記憶装置に記憶してもよい。
【００３２】
こうすると、演算装置に対する電源供給のオンオフに関係なく、電源電池交換後の画像再生表示時間の総数を計数できる。
【００３３】
本発明に係る電池交換検出回路は、電源電池を装着する電池収納室の開口部に設けられた電池蓋の開閉に連動するスイッチと、電池蓋の開閉に連動してスイッチがオンにされたことに応じ、電源電池の交換が検出されたことを示す情報を保持するラッチアップ回路と、を備える。
【００３４】
本発明に係る電池交換検出回路は、撮像装置その他の各種電子機器において、電源電池が交換されたことを示す情報を保持する回路である。
【００３５】
ラッチアップ回路は電池蓋の開閉に連動してスイッチがオンにされたことに応じ、計時専用回路から得られた現在日時を電源電池の交換日時として保持してもよい。
【００３６】
本発明に係る撮影枚数表示方法は、交換可能な電源電池、バックアップ電池、少なくとも電源電池又はバックアップ電池から継続的に電源供給を受け、電源電池の交換を検出し、電源電池の交換が検出されたことを示す情報を保持する電池交換検出回路、不揮発性記憶装置、映像を表示する表示部、被写体を撮像した静止画像を得る撮像部を備える撮像装置において実行され、撮像部の得た被写体の静止画像の数を計数するステップと、静止画像の数を撮影枚数として不揮発性記憶装置に記憶するステップと、不揮発性記憶装置に記憶された撮影枚数を表示するよう表示部を制御するステップと、電池交換検出回路が電源電池の交換が検出されたことを示す情報を保持していることに応じて不揮発性記憶装置の記憶している撮影枚数をリセットするステップと、を含む。
【００３７】
本発明に係る電源オフ日時表示方法は、交換可能な電源電池、バックアップ電池、少なくとも電源電池又はバックアップ電池から継続的に電源供給を受け、現在日時を出力する計時専用回路、少なくとも電源電池又はバックアップ電池から継続的に電源供給を受け、電源電池の交換を検出し、電源電池の交換が検出されたことを示す情報を保持する電池交換検出回路、不揮発性記憶装置、映像を表示する表示部、被写体を撮像した画像を得る撮像部を備える撮像装置において実行され、電源電池による電源供給がオフにされたときに計時専用回路の出力した現在日時を電源オフ日時として不揮発性記憶装置に記憶するステップと、電源電池による電源供給がオンにされたことに応じて不揮発性記憶装置に記憶された電源オフ日時を表示するよう表示部を制御するステップと、電池交換検出回路が電源電池の交換が検出されたことを示す情報を保持していることに応じて不揮発性記憶装置の記憶している電源オフ日時をリセットするステップと、を含む。
【００３８】
本発明に係る動画像記録時間表示方法は、交換可能な電源電池、バックアップ電池、少なくとも電源電池又はバックアップ電池から継続的に電源供給を受け、電源電池の交換を検出して検出した状態を保持する電池交換検出回路、不揮発性記憶装置、映像を表示する表示部、被写体を撮像した動画像を得る撮像部を備える撮像装置において実行され、撮像部の得た被写体の動画像の記録時間を計数するステップと、動画像の記録時間を不揮発性記憶装置に記憶するステップと、不揮発性記憶装置に記憶された動画像の記録時間を表示するよう表示部を制御するステップと、電池交換検出回路が電源電池の交換が検出されたことを示す情報を保持していることに応じて不揮発性記憶装置の記憶している動画像の記録時間をリセットするステップと、を含む。
【００３９】
本発明に係る発光回数表示方法は、交換可能な電源電池、バックアップ電池、少なくとも電源電池又はバックアップ電池から継続的に電源供給を受け、電源電池の交換を検出して検出した状態を保持する電池交換検出回路、不揮発性記憶装置、映像を表示する表示部、被写体を撮像した画像を得る撮像部、撮像部の撮像する被写体に閃光を発光する閃光発光装置を備える撮像装置において実行され、閃光発光装置の発光回数を計数するステップと、発光回数を不揮発性記憶装置に記憶するステップと、不揮発性記憶装置に記憶された発光回数を表示するよう表示部を制御するステップと、電池交換検出回路が電源電池の交換が検出されたことを示す情報を保持していることに応じて不揮発性記憶装置の記憶している発光回数をリセットするステップと、を含む。
【００４０】
本発明に係る画像再生表示時間表示方法は、交換可能な電源電池、バックアップ電池、少なくとも電源電池又はバックアップ電池から継続的に電源供給を受け、電源電池の交換を検出して検出した状態を保持する電池交換検出回路、不揮発性記憶装置、被写体を撮像した画像を得る撮像部、画像を再生表示する表示部を備える撮像装置において実行され、表示部の画像再生表示時間を計数するステップと、画像再生表示時間を不揮発性記憶装置に記憶するステップと、不揮発性記憶装置に記憶された画像再生表示時間を表示するよう表示部を制御するステップと、電池交換検出回路が電源電池の交換が検出されたことを示す情報を保持していることに応じて不揮発性記憶装置の記憶している画像再生表示時間をリセットするステップと、を含む。
【００４１】
本発明に係る撮影枚数表示プログラムは、交換可能な電源電池、バックアップ電池、少なくとも電源電池又はバックアップ電池から継続的に電源供給を受け、電源電池の交換を検出し、電源電池の交換が検出されたことを示す情報を保持する電池交換検出回路、不揮発性記憶装置、映像を表示する表示部、被写体を撮像した静止画像を得る撮像部、演算装置を備える撮像装置において実行され、撮像部の得た被写体の静止画像の数を計数するステップと、静止画像の数を撮影枚数として不揮発性記憶装置に記憶するステップと、不揮発性記憶装置に記憶された撮影枚数を表示するよう表示部を制御するステップと、電池交換検出回路が電源電池の交換が検出されたことを示す情報を保持していることに応じて不揮発性記憶装置の記憶している撮影枚数をリセットするステップと、を演算装置に実行させる。
【００４２】
本発明に係る電源オフ日時表示プログラムは、交換可能な電源電池、バックアップ電池、少なくとも電源電池又はバックアップ電池から継続的に電源供給を受け、現在日時を出力する計時専用回路、少なくとも電源電池又はバックアップ電池から継続的に電源供給を受け、電源電池の交換を検出し、電源電池の交換が検出されたことを示す情報を保持する電池交換検出回路、不揮発性記憶装置、映像を表示する表示部、被写体を撮像した画像を得る撮像部、演算装置を備える撮像装置において実行され、電源電池による電源供給がオフにされたときに計時専用回路の出力した現在日時を電源オフ日時として不揮発性記憶装置に記憶するステップと、電源電池による電源供給がオンにされたことに応じて不揮発性記憶装置に記憶された電源オフ日時を表示するよう表示部を制御するステップと、電池交換検出回路が電源電池の交換が検出されたことを示す情報を保持していることに応じて不揮発性記憶装置の記憶している電源オフ日時をリセットするステップと、を演算装置に実行させる。
【００４３】
本発明に係る動画像記録時間表示プログラムは、交換可能な電源電池、バックアップ電池、少なくとも電源電池又はバックアップ電池から継続的に電源供給を受け、電源電池の交換を検出して検出した状態を保持する電池交換検出回路、不揮発性記憶装置、映像を表示する表示部、被写体を撮像した動画像を得る撮像部、演算装置を備える撮像装置において実行され、撮像部の得た被写体の動画像の記録時間を計数するステップと、動画像の記録時間を不揮発性記憶装置に記憶するステップと、不揮発性記憶装置に記憶された動画像の記録時間を表示するよう表示部を制御するステップと、電池交換検出回路が電源電池の交換が検出されたことを示す情報を保持していることに応じて不揮発性記憶装置の記憶している動画像の記録時間をリセットするステップと、を演算装置に実行させる。
【００４４】
本発明に係る発光回数表示プログラムは、交換可能な電源電池、バックアップ電池、少なくとも電源電池又はバックアップ電池から継続的に電源供給を受け、電源電池の交換を検出して検出した状態を保持する電池交換検出回路、不揮発性記憶装置、映像を表示する表示部、被写体を撮像した画像を得る撮像部、撮像部の撮像する被写体に閃光を発光する閃光発光装置、演算装置を備える撮像装置において実行され、閃光発光装置の発光回数を計数するステップと、発光回数を不揮発性記憶装置に記憶するステップと、不揮発性記憶装置に記憶された発光回数を表示するよう表示部を制御するステップと、電池交換検出回路が電源電池の交換が検出されたことを示す情報を保持していることに応じて不揮発性記憶装置の記憶している発光回数をリセットするステップと、を演算装置に実行させる。
【００４５】
本発明に係る画像再生表示時間表示プログラムは、交換可能な電源電池、バックアップ電池、少なくとも電源電池又はバックアップ電池から継続的に電源供給を受け、電源電池の交換を検出して検出した状態を保持する電池交換検出回路、不揮発性記憶装置、被写体を撮像した画像を得る撮像部、画像を再生表示する表示部、演算装置を備える撮像装置において実行され、表示部の画像再生表示時間を計数するステップと、画像再生表示時間を不揮発性記憶装置に記憶するステップと、不揮発性記憶装置に記憶された画像再生表示時間を表示するよう表示部を制御するステップと、電池交換検出回路が電源電池の交換が検出されたことを示す情報を保持していることに応じて不揮発性記憶装置の記憶している画像再生表示時間をリセットするステップと、を演算装置に実行させる。
【発明の効果】
【００４６】
本発明によると、電源電池交換後の静止画像の撮影枚数、電源オフ日時、動画像記録時間、発光回数、画像再生表示時間を表示する。ユーザはこれらの表示を確認して電池寿命を大まかに推測できる。
【発明を実施するための最良の形態】
【００４７】
以下、添付した図面を参照し本発明の好ましい実施の形態を説明する。
【００４８】
＜第１実施形態＞
図１は本発明の好ましい実施形態に係る電子カメラ１００のブロック図である。カメラ１００にはユーザがこのカメラ１００を使用するときに種々の操作を行なうための操作部１２０が設けられている。この操作部１２０には、カメラ１００を作動させるための電源投入用の電源スイッチ１２１、撮影と再生とを自在に切り替える切替レバー１２２、オート撮影やマニュアル撮影等を選択するための撮影モードダイヤル１２３、各種のメニューの設定や選択あるいはズームを行なうための十字キー１２４、閃光発光用スイッチ１２５、および十字キー１２４で選択されたメニューの実行やキャンセル等を行なうための情報位置指定キー１２６が備えられている。
【００４９】
また、カメラ１００には、撮影画像や再生画像等を表示するための画像表示ＬＣＤ１０２と、操作の手助けを行なうための操作ＬＣＤ表示１０３が備えられている。
【００５０】
このカメラ１００にはレリーズスイッチ１０４が配備されている。このレリーズスイッチ１０４によって撮影の開始指示がメインＣＰＵ２０へと伝えられる。このカメラ１００では撮影・再生切替レバー１２２によって撮影と再生との切り替えが自在になっていて、撮影を行なうときにはユーザによって撮影・再生切替レバー１２２が撮影側に切り替えられ、再生を行なうときには撮影・再生切替レバー１２２が再生側に切り替えられる。また、カメラ１００には、閃光を発光する閃光発光管１０５ａを有する閃光発光装置が配備されている。
【００５１】
また、カメラ１００には、撮影レンズ１０１と、絞り１３１と、それら撮影レンズ１０１および絞り１３１を経由して結像された被写体像をアナログの画像信号に変換する撮像素子であるＣＣＤセンサ１３２とが備えられている。ＣＣＤセンサ１３２は、詳細には、そのＣＣＤセンサ１３２に照射された被写体光により発生した電荷を可変の電荷蓄積時間の間蓄積することにより画像信号を生成するものである。
【００５２】
また、カメラ１００には、ＣＣＤセンサ１３２からのアナログ画像信号が表わす被写体像のホワイトバランスを合わせるとともにその被写体像の階調特性における直線の傾き（γ）を調整し、さらにアナログ画像信号を増幅する増幅率可変の増幅器を含む白バランス・γ処理部１３３が備えられている。
【００５３】
さらに、カメラ１００には、白バランス・γ処理部１３３からのアナログ信号をディジタルの画像データにＡ／Ｄ変換するＡ／Ｄ部１３４と、そのＡ／Ｄ部１３４からの画像データを格納するバッファメモリ１３５が備えられている。
【００５４】
また、カメラ１００には、ＣＧ（クロックジェネレータ）部１３６と、測光・測距用ＣＰＵ１３７と、充電・発光制御部１３８と、通信制御部１３９と、ＹＣ処理部１４０と、電源電池６８とが備えられている。
【００５５】
ＣＧ部１３６は、ＣＣＤセンサ１３２を駆動するための後述する垂直同期信号Ｖ，高速掃き出しパルスＰを含む駆動信号、白バランス・γ処理部１３３，Ａ／Ｄ部１３４を制御する制御信号、および通信制御部１３９を制御する制御信号を出力する。また、このＣＧ部１３６には、測光・測距用ＣＰＵ１３７からの制御信号が入力される。
【００５６】
測光・測距用ＣＰＵ１３７は、撮影レンズ１０１，絞り１３１を図示しない手段で駆動することにより測光や測距を行ない、ＣＧ部１３６および充電・発光制御部１３８を制御する。さらに、この測光・測距用ＣＰＵ１３７は、後述するメインＣＰＵ２０との間でデータ通信を行なう。
【００５７】
充電・発光制御部１３８は，閃光発光管１０５ａを発光させるために電源電池６８からの電力の供給を受けて図示しない閃光発光用のコンデンサを充電したり、その閃光発光管１０５ａの発光を制御する。
【００５８】
通信制御部１３９には、通信ポート１０７が備えられており、この通信制御部１３９は、カメラ１００により撮影された被写体の画像信号をＵＳＢ端子が備えられたパーソナルコンピュータ等の外部装置に出力し、およびこのような外部装置からカメラ１００に画像信号を入力することにより、その外部装置との間のデータ通信を担うものである。また、このカメラ１００は、ロール状の写真フイルムに写真撮影を行なう通常のカメラが有するＩＳＯ感度１００，２００，４００，１６００等に切り替える機能を模擬した機能を有し、ＩＳＯ感度４００以上に切り替えられた場合、白バランス・γ処理部１３３の増幅器の増幅率が所定の増幅率を越えた高増幅率に設定された高感度モードとなる。通信制御部１３９は、高感度モードでの撮影中は、外部装置との通信を停止する。
【００５９】
また、この通信制御部１３９は、ＣＣＤセンサ１３２の電荷蓄積時間が所定の電荷蓄積時間を越えた長時間に設定されたロングシャッタモードでの撮影時には、その撮影における電荷蓄積時間終了後の、ＣＣＤセンサ１３２からの画像信号の読出しと同期して、外部との通信を行なうものである。具体的には、このカメラ１００では、シャッタ速度が１／６０秒よりも長い露光状態にある場合に、上記ロングシャッタモードとなる。
【００６０】
また、カメラ１００には、圧縮・伸長＆ＩＤ抽出部１４３と、Ｉ／Ｆ部１４４が備えられている。圧縮・伸長＆ＩＤ抽出部１４３は、バッファメモリ１３５に格納された画像データを、バスライン１４２を介して読み出して圧縮し、Ｉ／Ｆ部１４４を経由してメモリカード２００に格納する。また、圧縮・伸長＆ＩＤ抽出部１４３は、メモリカード２００に格納された画像データの読み出しにあたり、メモリカード２００固有の識別番号（ＩＤ）を抽出し、そのメモリカード２００に格納された画像データを読み出して伸長し、バッファメモリ１３５に格納する。
【００６１】
また、カメラ１００には、メインＣＰＵ２０と、ＥＥＰＲＯＭ１４６と、ＹＣ／ＲＧＢ変換部１４７と、表示用のドライバ１４８とが備えられている。メインＣＰＵ２０は、このカメラ１００全体の制御を行なう。ＥＥＰＲＯＭ１４６には、このカメラ１００固有の固体データやプログラム等が格納されている。ＹＣ／ＲＧＢ変換部１４７は、ＹＣ処理部１４０で生成されたカラー映像信号ＹＣを３色のＲＧＢ信号に変換して表示用のドライバ１４８を経由して画像表示ＬＣＤ１０２に出力する。
【００６２】
また、カメラ１００は、ＡＣ電源から電力を得るためのＡＣアダプタ４８と電源電池６８とが着脱可能な構成となっている。電源電池６８は充電可能な二次電池、例えばニカド電池、ニッケル水素電池、リチウムイオン電池で構成される。電源電池６８は使い切り型の一次電池、例えばリチウム電池、アルカリ電池で構成してもよい。電源電池６８は電池収納室６８ａに装填することにより、カメラ１００の各回路と電気的に接続される。
【００６３】
ＡＣアダプタ４８がカメラ１００に装填されＡＣ電源からＡＣアダプタ４８を介してカメラ１００に電力が供給される場合には、電源電池６８が電池収納室６８ａに装填されている場合であっても、優先的に当該ＡＣアダプタ４８から出力された電力がカメラ１００の各部に駆動用の電力として供給される。また、ＡＣアダプタ４８が装填されておらず、かつ電源電池６８が電池収納室６８ａに装填されている場合には、当該電源電池６８から出力された電力がカメラ１００の各部に駆動用の電力として供給される。
【００６４】
カメラ１００には、電池収納室６８ａに内に収納される電源電池６８とは別にバックアップ電池２９が設けられている。内蔵バックアップ電池２９には例えば専用の二次電池が用いられ、電源電池６８によって充電される。バックアップ電池２９は、電源電池６８の交換や取り外し等、電源電池６８が電池収納室６８ａに装填されていない場合、カメラ１００の基本機能に給電する。
【００６５】
即ち、電源電池６８又はＡＣアダプタ４８からの電源供給が停止すると、バックアップ電池２９がスイッチング回路（図示せず）によって電池交換検出回路３０、ＲＴＣ１５等に接続され、これらの回路に給電する。これにより、バックアップ電池２９が寿命に達しない限り、電池交換検出回路３０、ＲＴＣ１５等の基本機能には、電源供給が間断なく継続する。
【００６６】
撮影枚数カウントメモリ５１、撮影枚数登録メモリ５２、動画／ストロボ発光回数／再生時間メモリ５３、電源ＯＮ／ＯＦＦタイマーメモリ５４、電池種類別登録メモリ５５は、それぞれフラッシュメモリなどの不揮発性メモリで構成される。これらのメモリが記憶する内容は後述する。
【００６７】
ＲＴＣ（Real Time Clock）１５は計時専用のチップであり、電源電池６８やＡＣアダプタ４８からの給電がオフされていてもバックアップ電池２９から電源供給を受けて継続的に動作する。
【００６８】
電池交換検出回路３０は、電源電池６８が交換されたか否かを検出し、交換が検出されたことを保持する回路であり、メインＣＰＵ２０に接続されている。電池交換検出回路３０は、電源電池６８やＡＣアダプタ４８からの給電がオフされていてもバックアップ電池２９から電源供給を受けて動作し、上記検出結果を保持しつづける。電源電池６８の交換の有無の検出結果は、メインＣＰＵ２０が電源供給を得て動作したことに応じ、電池交換検出回路３０からメインＣＰＵ２０に送られる。電源電池６８を装填する電池収納室６８ａの開口部には、その開口部を開閉自在に覆う電池蓋６８ｂが設けられている。
【００６９】
図２は電池交換検出回路３０の詳細を示すブロック図である。電池交換検出回路３０は、開閉検出部３１及びラッチアップ回路３２を備えている。開閉検出部３１は、電源電池６８の電池蓋６８ｂの開閉に連動してオン／オフするスイッチ３１で構成される。ラッチアップ回路３２は、電池蓋６８ｂの開閉によってスイッチ３１がオンしたことに応じ、電池蓋６８ｂの開閉を検出したことを示す情報及びその検出時点でＲＴＣ１５から出力された現在日時を電池交換日時として保持する回路である。ラッチアップ回路３２はＥＥＰＲＯＭなどの半導体メモリなどで構成される。なお、ラッチアップ回路３２を、ＲＴＣ１５に備えられたＥＥＰＲＯＭと共通の構成にすれば、回路構成が単純化し好ましい。
【００７０】
以下、図３のフローチャートに従い、本発明に係るカメラ１００の動作の一実施形態である撮影枚数表示動作の流れを説明する。
【００７１】
まず、電源スイッチ１２１がオンされると（Ｓ１）、電源電池６８からメインＣＰＵ２０等の各ブロックに対する電源供給が開始する。メインＣＰＵ２０は、電池交換検出回路３０のラッチアップ回路３２に保持された電池蓋６８ｂの開閉検出の結果に基づき、電源電池６８の交換の有無を判断する（Ｓ２）。即ち、メインＣＰＵ２０は、電池蓋６８ｂの開閉検出がされたことがラッチアップ回路３２に保持されていれば、電源電池６８が交換されたと判断する。逆に、メインＣＰＵ２０は、電池蓋６８ｂの開閉検出がされたことがラッチアップ回路３２に保持されていなければ電源電池６８が交換されていないと判断する。
【００７２】
Ｓ２において、交換されたと判断された場合、Ｓ３に移行し、撮影枚数カウントメモリ５１、撮影枚数登録メモリ５２に記憶された情報をリセットする。メインＣＰＵ２０は、ラッチアップ回路３２に保持された検出結果をリセットするようラッチアップ回路３２を制御する（Ｓ４）。なお、ラッチアップ回路３２がＲＴＣ１５のＥＥＰＲＯＭによって構成されている場合、メインＣＰＵ２０は、保持された検出結果をリセットする指令をＲＴＣ１５に送り、その検出結果を消去させる。
【００７３】
次いで、メインＣＰＵ２０は、電源電池６８の種類を登録させるＧＵＩを画像表示ＬＣＤ１０２に表示し、交換により新たに電池室に装填された電源電池６８の種類を操作部１２０の操作によって入力・登録させる（Ｓ５）。ここで、カメラ１００に装填可能ないし装填の推奨される電源電池６８の種類は、登録可能な電源電池６８の種類として、予め電池種類別登録メモリ５５に記憶されている。ＧＵＩは、電池種類別登録メモリ５５に記憶された登録可能な電源電池６８の種類（例えばＡ社製マンガン乾電池、Ｂ社製アルカリ乾電池等）を一覧表示し、その一覧から所望の種類を操作部１２０から選択入力させるよう構成される。
【００７４】
この後、メインＣＰＵ２０は、選択入力された電源電池６８の種類に対応して予想される撮影可能枚数（以下予想枚数と称す）を入力させるＧＵＩを画像表示ＬＣＤ１０２に表示し、予想枚数を操作部１２０から入力・登録させる。
【００７５】
ここで、入力すべき予想枚数の目安をユーザに提示するため、予め電池種類別登録メモリ５５に、電源電池６８の種類に対応した参照用の撮影可能枚数を記憶しておく。
【００７６】
例えば、電源電池６８の種類に対応した撮影可能枚数は、カメラ１００のメーカーがカメラ１００に予め各種類の電源電池６８を装着して測定した撮影可能枚数とすることができる。この撮影可能枚数は、カメラ映像機器工業会（ＣＩＰＡ）の制定した電池寿命測定法（ＣＩＰＡ−００２−２００３）を用いて電源電池６８の種類ごとに測定されることが好ましい。ただし、カメラ１００の使用条件によって電源電池６８の寿命は変化するため、必ずしもこの電池寿命測定法によって測定した撮影可能枚数を電池種類別登録メモリ５５に記憶させることが必須ではない。
【００７７】
予想枚数の登録を受け付けるＧＵＩは、Ｓ５で登録された電源電池６８の種類に対応する撮影可能枚数を電池種類別登録メモリ５５から抽出して表示する。例えば、Ｓ５で「Ａ社マンガン乾電池」が登録されており、Ａ社マンガン乾電池に対応した撮影可能枚数として「３６０枚」が電池種類別登録メモリ５５に記憶されていれば、該ＧＵＩは「Ａ社マンガン乾電池＝３６０枚」と表示する。
【００７８】
予想枚数の登録を受け付けるＧＵＩは、操作部１２０の操作によって任意の予想枚数を入力させる。操作部１２０から入力・登録された予想枚数は、Ｓ５で入力された電源電池６８の種類と対応づけられて撮影枚数登録メモリ５２に記憶される（Ｓ６）。
【００７９】
ユーザは、予想枚数を参照しながら操作部１２０を操作し、電源電池６８の種類ごとに任意の予想枚数を登録できる。撮影可能枚数をそのまま予想枚数として登録してもよい。
【００８０】
メインＣＰＵ２０は、登録された予想枚数を示す内容を画像表示ＬＣＤ１０２に表示する（Ｓ７）。
【００８１】
一方、Ｓ２において、交換されていないと判断された場合、メインＣＰＵ２０は、撮影枚数カウントメモリ５１に記憶された撮影枚数を取り込み（Ｓ８）、取り込んだ撮影枚数が予想枚数に達するまでの状態を示す内容を画像表示ＬＣＤ１０２に表示する（Ｓ９）。
【００８２】
この後、切替レバー１２２の操作に応じて撮影動作ないし再生動作を行う（Ｓ１０）。撮影モード選択時、メインＣＰＵ２０は、レリーズスイッチ１０４の押下された総回数（撮影枚数）をカウントしてカメラ１００に設けられた図示しない揮発性メモリ（ＲＡＭ）などに一時的に保持しておく。
【００８３】
電源スイッチ１２１がオフにされると（Ｓ１１）、メインＣＰＵ２０は、揮発性メモリに記憶された回数と撮影枚数カウントメモリ５１に記憶された回数とを合算した値を新たな撮影枚数として撮影枚数カウントメモリ５１に記憶する（Ｓ１２）。この後、電源電池６８からメインＣＰＵ２０等への電源供給が停止する。ただし、上述のように、電池交換回路３０やＲＴＣ１５には、バックアップ電池２９が継続的に電源供給を行う。
【００８４】
図４は、予想枚数が撮影枚数に達するまでの状態を視覚的に示す内容の一例として、棒グラフを画像表示ＬＣＤ１０２に表示した状態を示している。即ち、登録された予想枚数と該予想枚数に応じた長さのバーＢ１、撮影枚数と該撮影枚数に応じた長さのバーＢ２を表示する。バーＢ１とバーＢ２は同じ縮尺で表示され、バーＢ１に対するバーＢ２の占有長さによって予想枚数が撮影枚数に達するまでの状態が分かる。バーＢ１とバーＢ２が視覚的に区別できるよう、視覚上の差異（色、網掛けなど）を設けるとよい。図示したように、予想枚数Ｎ１、撮影枚数Ｎ２、予想枚数Ｎ１から撮影枚数を減じた撮影残枚数Ｎ３を合わせて表示してもよい。撮影枚数が予想枚数に達した場合、その旨を通知する内容（警告アイコンなど）を画像表示ＬＣＤ１０２に表示してもよい。
【００８５】
ユーザは、画像表示ＬＣＤ１０２を見て、自分の登録した最大の撮影可能枚数である予想枚数、既に撮影した枚数である撮影枚数、及び残りの撮影枚数から、電池寿命を大まかに推測できる。
【００８６】
＜第２実施形態＞
次に、図５のフローチャートに従い、本発明に係るカメラ１００の動作の一実施形態である電源オフ時間表示動作の流れを説明する。
【００８７】
まず、電源スイッチ１２１がオンされると（Ｓ２１）、メインＣＰＵ２０は、電池交換検出回路３０のラッチアップ回路３２に保持された電池蓋６８ｂの開閉検出の結果に基づき、電源電池６８の交換の有無を判断する（Ｓ２２）。この判断は上記撮影枚数表示動作のＳ２と同様に行える。
【００８８】
Ｓ２２において、交換されたと判断された場合、Ｓ２３に移行する。Ｓ２３では、電源ＯＮ／ＯＦＦタイマーメモリ５４に記憶された電源ＯＦＦ時間をリセットする。電源ＯＦＦ時間の詳細は後述する。次いで、Ｓ２４に移行し、Ｓ２４〜Ｓ２７は上記撮影枚数表示動作のＳ４〜Ｓ７と同様の動作を行う。
【００８９】
一方、Ｓ２２において、交換されていないと判断された場合、メインＣＰＵ２０は、電源ＯＮ／ＯＦＦタイマーメモリ５４に記憶された、電源スイッチ１２１がオフにされたときの時間（電源ＯＦＦ時間）を取り込み（Ｓ２８）、取り込んだ電源ＯＦＦ時間を画像表示ＬＣＤ１０２に表示する（Ｓ２９）。複数の電源ＯＦＦ時間が記憶されている場合、全ての電源ＯＦＦ時間を表示してもよい。ただし、ここでは、直近の電源ＯＦＦ時間である前回電源ＯＦＦ時間のみを表示する。第１実施形態と同様、予想枚数Ｎ１、撮影枚数Ｎ２、撮影残枚数Ｎ３を合わせて表示してもよい。
【００９０】
この後、切替レバー１２２の操作に応じて撮影動作ないし再生動作を行う（Ｓ３０）。撮影モード選択時、メインＣＰＵ２０は、レリーズスイッチ１０４の押下された回数（撮影枚数）をカウントしてカメラ１００に設けられた図示しない揮発性メモリ（ＲＡＭ）などに保持しておいてもよい。ただし、この動作は前回電源ＯＦＦ時間の表示には必須ではない。
【００９１】
電源スイッチ１２１がオフにされると（Ｓ３１）、メインＣＰＵ２０は、電源スイッチ１２１がオフにされた時間、詳細には電源スイッチ１２１がオフにされた時点でＲＴＣ１５から出力された現在日時を電源ＯＦＦ時間として電源ＯＮ／ＯＦＦタイマーメモリ５４に記憶する（Ｓ３２）。このＳ３２で電源ＯＮ／ＯＦＦタイマーメモリ５４記憶された電源ＯＦＦ時間は、Ｓ２２で電源電池６８が交換されたと判断されるまで記憶されつづける。
【００９２】
図６は、前回電源ＯＦＦ時間Ｔ１を画像表示ＬＣＤ１０２に表示した状態を示している。ユーザは、画像表示ＬＣＤ１０２を見て、前回電源スイッチ１２１がオフにされた日時を確認でき、電池寿命を大まかに推測できる。なお、予想枚数Ｎ１、撮影枚数Ｎ２、撮影残枚数Ｎ３を合わせて画像表示ＬＣＤ１０２に表示してもよい。
【００９３】
＜第３実施形態＞
以下、図７のフローチャートに従い、本発明に係るカメラ１００の動作の一実施形態である経過時間表示動作の流れを説明する。
【００９４】
まず、電源スイッチ１２１がオンされると（Ｓ４１）、メインＣＰＵ２０は、電池交換検出回路３０のラッチアップ回路３２に保持された電池蓋６８ｂの開閉検出の結果に基づき、電源電池６８の交換の有無を判断する（Ｓ４２）。この判断は上記撮影枚数表示動作のＳ２と同様に行える。
【００９５】
Ｓ４２において、交換されたと判断された場合、Ｓ４３に移行する。Ｓ４３では、メインＣＰＵ２０は、電源ＯＮ／ＯＦＦタイマーメモリ５４に記憶された電源ＯＦＦ時間をリセットする。次いで、Ｓ４４に移行し、Ｓ４４〜Ｓ４７は上記撮影枚数表示動作のＳ４〜Ｓ７と同様の動作を行う。
【００９６】
一方、Ｓ４２において、交換されていないと判断された場合、Ｓ４８に移行する。Ｓ４８では、メインＣＰＵ２０は、電源ＯＮ／ＯＦＦタイマーメモリ５４に記憶された電源ＯＦＦ時間を取り込み、ＲＴＣ１５から出力される現在日時から電源ＯＦＦ時間までの時間を経過時間として算出する（Ｓ４８）。
【００９７】
Ｓ４８には以下の処理を追加してもよい。例えば、メインＣＰＵ２０は、ラッチアップ回路３２に記憶された電池交換日時を取り込み、ＲＴＣ１５から出力される現在日時から電池交換日時を減じた時間を交換後経過時間して算出する。
【００９８】
即ち、交換後経過時間Ｔ６＝現在日時−電池交換日時
であり、電源電池６８の交換から電源スイッチ１２１が現在までの経過時間である。
【００９９】
また、例えば、電源電池６８の交換以後電源スイッチ１２１がオンにされていた時間の総計を使用時間として算出してもよい。
【０１００】
この後、切替レバー１２２の操作に応じて撮影動作ないし再生動作を行う（Ｓ５０）。撮影モード選択時、メインＣＰＵ２０は、レリーズスイッチ１０４の押下された回数（撮影枚数）をカウントしてカメラ１００に設けられた図示しない揮発性メモリ（ＲＡＭ）などに保持しておいてもよい。ただし、経過時間の表示には必須ではない。
【０１０１】
電源スイッチ１２１がオフにされると（Ｓ５１）、メインＣＰＵ２０は、電源スイッチ１２１がオフにされた時間、詳細には電源スイッチ１２１がオフにされた時点でＲＴＣ１５から出力された現在日時を電源ＯＦＦ時間として電源ＯＮ／ＯＦＦタイマーメモリ５４に記憶する（Ｓ５２）。ただし、交換後経過時間の表示には必須でない。
【０１０２】
図８は、経過時間Ｔ２を画像表示ＬＣＤ１０２に表示した状態を示している。ユーザは、画像表示ＬＣＤ１０２を見て、電源電池６８の交換後、電源スイッチ１２１がオフにされた時間からオンにされた時間までの経過時間を認識でき、電池寿命を大まかに推測できる。なお、電源ＯＦＦ時間Ｔ１、予想枚数Ｎ１、撮影枚数Ｎ２、撮影残枚数Ｎ３を合わせて画像表示ＬＣＤ１０２に表示してもよい。
【０１０３】
また、図９に示すように、画像表示ＬＣＤ１０２には、交換後経過時間Ｔ６や使用時間Ｔ７も表示してもよい。
【０１０４】
＜第４実施形態＞
次に、図１０のフローチャートに従い、本発明に係るカメラ１００の動作の一実施形態である動画記録時間／ストロボ発光回数／再生時間表示動作の流れを説明する。
【０１０５】
まず、電源スイッチ１２１がオンされると（Ｓ６１）、メインＣＰＵ２０は、電池交換検出回路３０のラッチアップ回路３２に保持された電池蓋６８ｂの開閉検出の結果に基づき、電源電池６８の交換の有無を判断する（Ｓ６２）。この判断は上記撮影枚数表示動作のＳ２と同様に行える。
【０１０６】
Ｓ６２において、交換されたと判断された場合、Ｓ６３に移行する。Ｓ６３では、メインＣＰＵ２０は、動画／ストロボ発光回数／再生時間メモリ５３の記憶内容をリセットする。以後、Ｓ６４〜Ｓ６７では、上記撮影枚数表示動作のＳ４〜Ｓ７と同様の動作を行う。ただし、Ｓ６４〜Ｓ６７の動作は、後述する動画／ストロボ発光回数／再生時間の表示には必須ではない。
【０１０７】
一方、Ｓ６２において、交換されていないと判断された場合、メインＣＰＵ２０は、動画／ストロボ発光回数／再生時間メモリ５３に記憶された、動画記録時間、ストロボ発光回数、再生時間をそれぞれ取り込む（Ｓ６８、Ｓ７０、Ｓ７２）。メインＣＰＵ２０は、取り込んだ動画記録時間、ストロボ発光回数、再生時間を画像表示ＬＣＤ１０２に表示する（Ｓ６９、Ｓ７１、Ｓ７３）。
【０１０８】
この後、切替レバー１２２の操作に応じて撮影動作ないし再生動作を行う（Ｓ７４）。撮影モード選択時、メインＣＰＵ２０は、動画の総記録時間、閃光発光管１０５ａの総発光回数、画像の総再生時間をカウントしてカメラ１００に設けられた図示しない揮発性メモリ（ＲＡＭ）などに保持する。
【０１０９】
電源スイッチ１２１がオフにされると（Ｓ７５）、Ｓ７６に移行する。Ｓ７６では、動画記録時間、ストロボ発光回数、再生時間累計の更新記憶を行う。
【０１１０】
即ち、メインＣＰＵ１０は、既に動画／ストロボ発光回数／再生時間メモリ５３に記憶されている動画記録時間と、Ｓ６１の電源オンからＳ７５の電源オフまでの間にカウントされた動画記録時間を合計した値を新たな動画記録時間としてメモリ５３に記憶する。動画記録時間のカウントの仕方としては、例えば、操作部１２０から動画記録開始指示が入力された日時から動画記録停止指示が入力された日時までの経過時間の総計を動画記録時間とする。
【０１１１】
また、メインＣＰＵ１０は、既に動画／ストロボ発光回数／再生時間メモリ５３に記憶されている閃光発光管１０５ａの累積の発光回数と、Ｓ６１の電源オンからＳ７５の電源オフまでの間にカウントされた発光回数を合計した値を新たな発光回数としてメモリ５３に記憶する。ストロボ発光回数のカウントの仕方は様々考えられるが、例えば、充電・発光制御部１３８から閃光発光管１０５ａに出力される発光信号の出力回数をストロボ発光回数としてカウントする。
【０１１２】
また、メインＣＰＵ１０は、既に動画／ストロボ発光回数／再生時間メモリ５３に記憶されている再生時間と、Ｓ６１の電源オンからＳ７５の電源オフまでの間にカウントされた再生時間を合計した値を新たな再生時間としてメモリ５３に記憶する。再生時間のカウントの仕方としては、例えば、切替レバー１２２が再生側に切り替わっていた時間の総計を再生時間とする。
【０１１３】
Ｓ７６では、メインＣＰＵ２０は、電源スイッチ１２１がオフにされた時間、詳細には電源スイッチ１２１がオフにされた時点でＲＴＣ１５から出力された日時を電源ＯＦＦ時間として電源ＯＮ／ＯＦＦタイマーメモリ５４に記憶する。ただし、動画記録時間、ストロボ発光回数、再生時間の表示には必須ではない。
【０１１４】
図１１は、動画記録時間Ｔ３、ストロボ発光回数Ｔ４、再生時間Ｔ５を画像表示ＬＣＤ１０２に表示した状態を示している。ユーザは、画像表示ＬＣＤ１０２を見て、動画記録時間、ストロボ発光回数、再生時間の累積を確認し、電池寿命を大まかに推測できる。なお、電源ＯＦＦ時間Ｔ１、経過時間Ｔ２、予想枚数Ｎ１、撮影枚数Ｎ２、撮影残枚数Ｎ３を合わせて画像表示ＬＣＤ１０２に表示してもよい。
【０１１５】
＜第５実施形態＞
上述の第１〜４実施形態の撮影枚数表示動作、電源オフ時間表示動作、経過時間表示動作又は動画記録時間／ストロボ発光回数／再生時間表示動作は、それぞれ排他的な関係にあるのではない。このため、操作部１２０の設定操作に応じて、これらの動作のいずれか１つを実行するようにしてもよいし、これらの動作の一部又は全部を組み合わせた動作を実行してもよい。これらの動作は、メインＣＰＵ１０その他の演算装置により実行されるプログラムによって制御される。
【０１１６】
また、上述の撮影枚数表示動作、電源オフ時間表示動作、経過時間表示動作又は動画記録時間／ストロボ発光回数／再生時間表示動作に含まれる各ステップは、図１に示したカメラ１００だけでなく、カメラ付き携帯電話機などの各種撮像装置における動作方法にも応用できる。即ち、上述の動作方法及び該動作方法で規定される制御内容を各種撮像装置に組み込まれた演算装置に実行させるプログラムは本発明の好ましい実施形態に含まれる。
【図面の簡単な説明】
【０１１７】
【図１】本発明の好ましい実施形態に係るカメラのブロック構成図
【図２】電池交換検出回路の構成図
【図３】撮影枚数表示動作の流れを示すフローチャート
【図４】撮影枚数の表示状態を示す図
【図５】電源オフ時間表示動作の流れを示すフローチャート
【図６】電源オフ時間の表示状態を示す図
【図７】経過時間表示動作の流れを示すフローチャート
【図８】経過時間の表示状態を示す図
【図９】電池交換後の経過時間及び使用時間の表示状態を示す図
【図１０】動画記録時間／ストロボ発光回数／再生時間表示動作の流れを示すフローチャート
【図１１】動画記録時間／ストロボ発光回数／再生時間表示の表示状態を示す図
【符号の説明】
【０１１８】
１３２：ＣＣＤセンサ、２０：メインＣＰＵ、１０５ａ：閃光発光管、１０２：画像表示ＬＣＤ、１５：ＲＴＣ、５１：撮影枚数カウントメモリ、５２：撮影枚数登録メモリ、５３：動画／ストロボ発光回数／再生時間メモリ、５４：電源ＯＮ／ＯＦＦタイマーメモリ、５５：電池種類別登録メモリ、３０：電池交換検出回路、２９：内蔵バックアップ電池、３１：スイッチ、３２：ラッチアップ回路、６８：電源電池
【図１】
2007019869.tif 000003
【図２】
2007019869.tif 000004
【図３】
2007019869.tif 000005
【図４】
2007019869.tif 000006
【図５】
2007019869.tif 000007
【図６】
2007019869.tif 000008
【図７】
2007019869.tif 000009
【図８】
2007019869.tif 000010
【図９】
2007019869.tif 000011
【図１０】
2007019869.tif 000012
【図１１】
2007019869.tif 000013